(57)【要約】【課題】本発明は、遮音性、吸音性、耐久性に優れ、見栄えが良く、脱着自在な階段用保護材を提供すること。【解決手段】箱階段（ロ）、側桁階段（イ）、力桁階段（ハ）、ささら桁階段（ニ）のいずれかの階段１であって、前記階段１の踏板１１において少なくともその周縁部に両面接着テープ２と、その上にループ付きシート状物３又は係止部材４と、他方係止部材４又はループ付きシート状物３を両面接着テープを介在して有する保護材５が係合離脱の状態で装着されていることを特徴とする階段用保護材１０である。【選択図】図１
2004270306.tif 000002
【特許請求の範囲】
【請求項１】
箱階段、側桁階段、力桁階段、ささら桁階段のいずれかの階段であって、
前記階段の踏板において少なくともその周縁部に両面接着テープと、その上にループ付きシート状物又は係止部材と、他方係止部材又はループ付きシート状物を両面接着テープを介在して有する保護材が係合離脱の状態で装着されていることを特徴とする階段用保護材。
【請求項２】
保護材は、板状物、厚紙板状物、布状シート状物、カーペット状シート状物、合成樹脂シート状物、合成樹脂発泡体シート状物、ゴムシート状物、ゴム発泡体シート状物のいずれかであることを特徴とする階段用保護材。
【請求項３】
板状物は、合板、軟質繊維板、硬質繊維板、セミハードボード、コルク薄板、軽量パーティクルボード、単板積層材板、クラフト抄造厚紙、強化木板のいずれか１種又はその組み合せ板であることを特徴とする請求項１又は請求項２に記載の階段用保護材。
【請求項４】
厚紙板状物は、ダンボール、クラフト抄造厚紙、晒クラフト紙のいずれかであることを特徴とする請求項１、請求項２又は請求項３に記載の階段用保護材。
【請求項５】
布状シート状物は、ジュウタン、不織布、ガラス繊維加工処理布のいずれかであることを特徴とする請求項１、請求項２、請求項３又は請求項４に記載の階段用保護材。
【請求項６】
カーペット状シート状物は、軟質カーペット、フェルト、繊維マット、表裏ループ付きカーペットのいずれか１種又はその組み合せ布状物であることを特徴とする請求項１、請求項２、請求項３、請求項４又は請求項５に記載の階段用保護材。
【請求項７】
合成樹脂シート状物は、熱可塑性樹脂シート状物、ガラス繊維充填熱可塑性樹脂シート状物、パルプ充填熱可塑性樹脂シート状物、マイカ粉充填物熱可塑性樹脂シート状物のいずれか１種又はその組み合せシート状物であることを特徴とする請求項１、請求項２、請求項３、請求項４、請求項５又は請求項６に記載の階段用保護材。
【請求項８】
合成樹脂発泡体シート状物は、ポリウレタン系プラスチック発泡体シート状物、ポリ塩化ビニル系プラスチック発泡体シート状物、ジエン系プラスチック発泡体シート状物のいずれか１種又はその組み合せシート状物であることを特徴とする請求項１、請求項２、請求項３、請求項４、請求項５、請求項６又は請求項７に記載の階段用保護材。
【請求項９】
ゴムシート状物は、天然ゴム、ブタジエンゴム、アクリロニトリルゴム、スチレンブタジエンゴム、クロロプレーンゴム、ブチルゴム、ウレタンゴムの各種ゴムシート又はそれらのゴム発泡体シート状物のいずれかであることを特徴とする請求項１、請求項２、請求項３、請求項４、請求項５、請求項６、請求項７又は請求項８に記載の階段用保護材。
【請求項１０】
踏板は、木材繊維方向が多方向に配列された異方向性繊維集成材、ランバーコアー合板、ホルマール化木材板、強化木材板のいずれか１種又はこれらの組み合せ木材板であることを特徴とする請求項１、請求項２、請求項３、請求項４、請求項５、請求項６、請求項７、請求項８又は請求項９に記載の階段用保護材。
【請求項１１】
両面接着テープは、布芯、晒クラフト紙芯、ガラス繊維布芯のいずれか１種又はこれらの組み合せ使用であることを特徴とする請求項１、請求項２、請求項３、請求項４、請求項５、請求項６、請求項７、請求項８、請求項９又は請求項１０に記載の階段用保護材。
【請求項１２】
係止部材は、ループに係止する鉤止部材、キノコ型小片、又はこれらに類似する鉤を有する係止具のいずれか１種又はこれらの組み合せ係止部材であることを特徴とする請求項１、請求項２、請求項３、請求項４、請求項５、請求項６、請求項７、請求項８、請求項９、請求項１０又は請求項１１に記載の階段用保護材。
【請求項１３】
両面接着テープは、踏板の周縁部、中央部、中央部と中央部との中間部、段鼻部、蹴込み板、側板の一部に貼着されていることを特徴とする請求項１、請求項２、請求項３、請求項４、請求項５、請求項６、請求項７、請求項８、請求項９、請求項１０、請求項１１又は請求項１２に記載の階段用保護材。
【請求項１４】
踏板の表面側に両面接着テープを貼着し、該両面接着テープの接着剤表面側に係止部材又はループ付きシート状物の裏面を重ね合せ、両面接着テープを介在して保護材を貼着することを特徴とする階段用保護材の取付け方法。
【請求項１５】
踏板、蹴込み板、中央部、側板の一部の表面側に両面接着テープを貼着し、該両面接着テープの接着剤表面側に係止部材又はループ付きシート状物の裏面を重ね合せて、両面接着テープを介在して保護材を貼着し、その後表面側に貼着した両面接着テープ、係止部材又はループ付きシート状物を有する保護材を剥がし取ることを特徴とする階段用保護材の取付け方法。
【請求項１６】
保護材又は踏板の表面側には、滑り止め材を混入した塗料、研磨材微粉を混入した塗料を予め塗布しておくことを特徴とする請求項１４又は請求項１５に記載の階段用保護材の取付け方法。
【発明の詳細な説明】
【０００１】
【発明の属する技術分野】
本発明は、遮音性、吸音性、耐久性に優れ、見栄えが良く、脱着自在な階段用保護材及びその取付け方法に関する。
【０００２】
【従来の技術】
従来、建築中においても、一般には階段は１階から２階への作業通路として使用される。
そのため、１階から２階へ各種資材を運搬する途中において、重い資材を例えば踏板上に落すと、踏板の表面側を損傷する場合がある。
また、踏板上に木屑や土砂が存在すると、上記運搬中に踏板の表面側に傷を付けたり、汚染し易くなる場合がある。
【０００３】
そこで、図１０に示すごとく、踏板上及び又は蹴込み板上に合板やダンボールなどの養生材９が貼着されている。
この養生材は、一般にはあり合せの合板や梱包材としてのダンボールが使用される。そのため、養生材の踏板上における固定や接合が困難な場合がある。
【０００４】
ところで、特許文献１によれば、上記運搬作業のための「仮設階段」をを設け、その後「仮設階段」の必要がなくなると、これを取り外し化粧材を用いた化粧本階段に置き換える「仮設兼用階段」が提案されている。
また、特許文献２によれば、「梱包後のごみの発生が少なく、この梱包材が養生材を兼ねており、養生材及びその加工が必要である長方形板の梱包材」が提案されている。
【０００５】
一方、本出願人は、先に上記養生材に関連した「ドア養生保護材」を特許文献３により提案している。
更に、本出願人は、上記踏板の保護材の一種に関連した「昇降時静音階段」を特許文献４により提案している。
【０００６】
【発明が解決しようとする課題】
しかしながら、特許文献１においては、「仮設階段」を取り外した後、化粧材としての化粧本階段を設置するとコスト高となる問題点がある。
また、特許文献２においては、梱包材箱階段及びその加工方法として、特に図６に示すごとく、「粘着テープを使用した養生材」が開示されている。
【０００７】
ところが、特許文献２の段落５及び６にも記載されているように、「養生材に不適切な強力ガムテープが使用されると、踏板３０の化粧材が剥がれる場合がある。」（図１１参照）。
これは、図１１に示すごとく、踏板がラワン材や無垢の木材により構成されている場合には、市販テープ（例えばセロファンテープ）にラワン材等の単板の一部が「ササクレ」として剥離するものである。
【０００８】
このように、養生材は図１０、例えば特許文献２の図６に示すごとく、踏板の表面側に直接ガムテープを用いて貼着することは好ましくない。これは、ラワン材や無垢の板材ばかりではなく、踏板の表面側に透明塗料を薄く塗った場合においても同様の現象を生じる可能性がある。
【０００９】
また、特許文献３に係る発明は、ドア養生保護材に関するもので、本発明とは異なる。そして、特許文献４に係る発明は、踏板の表面に防音材、吸音材を接合するものであり、本発明とは目的が異なる。
【００１０】
【特許文献】
【特許文献１】
特開２０００−２１３１３２号公報
【特許文献２】
特開平１１−２４０５７４号公報
【特許文献３】
特願２００２−２０５３２４号
【特許文献４】
特願２００２−３３１５４１号
【００１１】
本発明は、上記問題点に鑑みてなされたものであって、遮音性、吸音性、耐久性に優れ、脱着自在であり各種の保護材を使用目的に適宜に適応させた、見栄えが良い階段用保護材及びその取付け方法を提供しようとするものである。
【００１２】
【課題を解決するための手段】
そこで本発明が採った手段は、従来の階段に使用する踏板の課題を解決するため、下記の請求項１〜請求項１６に示す発明を提案するもので、更に具体的に説明するため、実施例において使用する図面の符号を付して説明する。
【００１３】
まず、請求項１に記載の発明が採った手段は、箱階段、側桁階段、力桁階段、ささら桁階段のいずれかの階段１であって、
前記階段１の踏板１１において少なくともその周縁部に両面接着テープ２と、その上にループ付きシート状物３又は係止部材４と、他方係止部材４又はループ付きシート状物３を両面接着テープ２を介在して有する保護材５が係合離脱の状態で装着されていることを特徴とする階段用保護材１０を提供しようとするものである。
これにより、保護材５が常に係合離脱の状態で踏板１１より脱着自在な階段用保護材１０を得ることが出来る。
【００１４】
次に、請求項２に記載の発明が採った手段は、保護材５は板状物、厚紙板状物、布状シート状物、カーペット状シート状物、合成樹脂シート状物、合成樹脂発泡体シート状物、ゴムシート状物、ゴム発泡体シート状物のいずれかであることを特徴とする階段用保護材１０を提供しようとするものである。
これにより、各種の保護材５を使用目的や使用期間に適宜に対応させた各種態様で多面的な階段用保護材１０を得ることが出来る。
【００１５】
そして、請求項３に記載の発明が採った手段は、板状物は、合板、軟質繊維板、硬質繊維板、セミハードボード、コルク薄板、軽量パーティクルボード、単板積層材板、クラフト抄造厚紙、強化木板のいずれか１種又はその組み合せ板であることを特徴とする階段用保護材１０を提供しようとするものである。
これにより、比較的硬度が大きい階段用保護材１０を得ることが出来る。
また、請求項４に記載の発明が採った手段は、厚紙板状物は、ダンボール、クラフト抄造厚紙、晒クラフト紙のいずれかであることを特徴とする階段用保護材１０を提供するものである。
ダンボールは梱包材の再利用を図ることが出来ると共に、クラフト抄造厚紙及び晒クラフト紙は、いわゆる「腰」が強く、耐久性に優れた階段用保護材１０を得ることが出来る。
【００１６】
請求項５に記載の発明が採った手段は、ジュウタン、不織布、ガラス繊維加工処理布のいずれかであることを特徴とする階段用保護材１０を提供するものである。
これにより、柔軟性がありながら「腰」があり、耐久性に優れた階段用保護材１０を得ることが出来る。
また、請求項６に記載の発明が採った手段は、表裏ループ付きカーペットは、軟質カーペット、フェルト、繊維マット、表裏ループ付きカーペットのいずれか１種又はその組み合せ布状物であることを特徴とする階段用保護材１０を提供するものである。
これにより、比較的柔軟で、ループ付きシート状物３の表面に強固に係合離脱の状態で脱着自在に優れた階段用保護材１０を得ることが出来る。
【００１７】
請求項７に記載の発明が採った手段は、合成樹脂シート状物は、熱可塑性樹脂シート状物、ガラス繊維充填熱可塑性樹脂シート状物、パルプ充填熱可塑性樹脂シート状物、マイカ粉充填物熱可塑性樹脂シート状物のいずれか１種又はその組み合せシート状物であることを特徴とする階段用保護材１０を提供しようとするものである。
これにより、柔軟性を有しながら、「腰」の強い耐久性に優れた階段用保護材１０を得ることが出来る。
【００１８】
請求項８に記載の発明が採った手段は、合成樹脂発泡体シート状物は、ポリウレタン系プラスチック発泡体シート状物、ポリ塩化ビニル系プラスチック発泡体シート状物、ジエン系プラスチック発泡体シート状物のいずれか１種又はその組み合せシート状物であることを特徴とする階段用保護材１０を提供しようとするものである。
これにより、比較的軽量で柔軟性、クッション性に優れた階段用保護材１０を得ることが出来る。
【００１９】
請求項９に記載の発明が採った手段は、ゴムシート状物は、天然ゴム、ブタジエンゴム、アクリロニトリルゴム、スチレンブタジエンゴム、クロロプレーンゴム、ブチルゴム、ウレタンゴムの各種ゴムシート又はこれらのゴム発泡体シート状物のいずれかであることを特徴とする階段用保護材１０を提供しようとするものである。
これにより、比較的クッション性及び遮音・吸音性に優れた階段用保護材１０を得ることが出来る。
【００２０】
請求項１０に記載の発明が採った手段は、踏板は、木材繊維方向が多方向に配列された異方向性繊維集成材板、ランバーコアー合板、ホルマール化木材板、強化木材板のいずれか１種又はこれらの組み合せ木材板であることを特徴とする階段用保護材１０を提供しようとするものである。
これにより、寸法変化率が少なく、寸法安定性、強度、硬度に優れた階段用保護材１０を得ることが出来る。
【００２１】
請求項１１に記載の発明が採った手段は、両面接着テープ２は、布芯、晒クラフト紙芯、ガラス繊維布芯のいずれか１種又はこれらの組み合せ使用であることを特徴とする階段用保護材１０を提供しようとするものである。
これにより、比較的「腰」が強く、強度や耐久性に優れた両面接着テープ２を使用した階段用保護材１０を得ることが出来る。
【００２２】
請求項１２に記載の発明が採った手段は、係止部材４は、ループに係止する鉤止部材、キノコ型小片又はこれらに類似する鉤を有する係止具のいずれか１種又はこれらの組合せ係止部材であることを特徴とする階段用保護材１０を提供するものである。
これにより、常に係合離脱の状態にあり、脱着自在性に優れた階段用保護材１０を得ることが出来る。
【００２３】
請求項１３に記載の発明が採った手段は、両面接着テープ２は、踏板１１の周縁部、中央部、中央部と中央部との中間部、段鼻部、蹴込み板１２、側板の一部に貼着されていることを特徴とする階段用保護材１０を提供しようとするものである。
これにより、使用目的、使用期間、耐久性に適宜に適合させた階段用保護材１０を得ることが出来る。
【００２４】
請求項１４に記載の発明が採った手段は、踏板１１の表面側に両面接着テープ２を貼着し、該両面接着テープ２の接着剤表面側に係止部材４又はループ付きシート状物３の裏面を重ね合せ、両面接着テープ２を介在して保護材５を貼着することを特徴とする階段用保護材の取付け方法を提供しようとするものである。
これにより、両面接着テープ２の表面側に迅速容易に該両面接着テープ２の接着剤表面側に側桁階段４又はループ付きシート状物３の裏面を重ね合せ、両面接着テープ２を介在して保護材５を貼着することが出来る。
【００２５】
請求項１５に記載の発明が採った手段は、踏板２、蹴込み板、中央部、側板の一部の表面側に両面接着テープ２を貼着し、該両面接着テープ２の接着剤表面側に係止部材４又はループ付きシート状物３の裏面を重ね合せて保護材５を貼着し、その後表面側に貼着した両面接着テープ２、係止部材４又はループ付きシート状物３を剥がし取ることを特徴とする階段用保護材１０の取付け方法を提供しようとするものである。
これにより、合板、軟質繊維板、単板積層材板、ダンボール、クラフト抄造厚紙、晒クラフト紙等の保護材５は、仮設階段のごとく、２階へ資材を運搬することを主な目的とする建築作業に一時的に使用する養生材としての機能、役割を果たすことが出来る。
【００２６】
請求項１６に記載の発明が採った手段は、保護材又は踏板の表面側には、滑り止め材を混入した塗料、研磨剤微量を混入した塗料を予め塗布しておくことを特徴とする請求項１４、請求項１５に記載の階段用保護材１０を提供しようとするものである。
これにより、両面接着テープ５の表面側は、階段１の昇降中に足がスリップして転換したり、踏み外すことを防止することが出来る。
一方、踏板１１の表面側は、両面接着テープ２を剥がす場合において、従来の階段１の踏板７（図１１参照）のごとく、テープ剥離試験において、ラワン合板や無垢材の一部が「ささくれ」として、剥離することを防止することができる。
【発明の実施の形態】
本発明の実施の形態を実施例１〜５及び請求項１〜請求項１６に記載の実施の態様等に対応させて、図面を参照しながら具体的に説明する。
まず本発明に係る階段１は、図２及び図６に示すごとく、箱階段（図２の（ロ））、側桁階段（図２の（イ））、力桁階段（図６の（ハ））、ささら桁階段（図６の（ニ））のいずれの階段１について適用可能なものである。そして、これらの各種形式の階段１は、踊場を有する「折返し階段」、「直通踊り場階段」、「回り階段」、「かね折れ階段」などについても適用可能なものである。
【００２７】
しかも、上記各種形式の階段１には、必要に応じて手すり（笠木）及び手すり子を適宜設けることも出来る。更には、階段１の裏面側においては、「受け台」や「角木」を介在して「力桁」、「受け材」、「側桁」、「隅木」、「底板」（段裏板）などは当業者が常套手段として使用するものも適宜使用することが出来る。
【００２８】
本発明に係る保護材５は、主として次に示すごとく、３つの実施態様について適用することが出来る。
まず、第１の態様としては、従来の養生材のごとく、二階へ資材などを運搬するために使用される建築作業中の「仮設階段」として、合板やダンボールのごとき、板状物を一時的に使用する実施の形態がある。
【００２９】
次に、第２の態様としては、上記第１の態様において、損傷したり破損した保護材５のみを新規の保護材５に取り替えて、半永久的に踏板１１の表面側に装着しておく実施の形態がある。
また、第３の態様としては、保護材５の表面側に滑り止め防止材や研磨剤微粉を混入した塗料を予め塗布しておき、ゴムシート状物またはゴム発泡体シート状物のごとく、柔軟で損傷や破損を生じ難い保護材５を使用することにより、常時踏板１１の表面側を保護しつつ、遮音・吸音効果をも発揮し得る実施の形態がある。
【００３０】
そして、上記保護材５の裏面には、ループ付きシート状物３又は係止部材４（図３の（ホ）、（ヘ）参照）のいずれかを有する実施の態様（請求項１参照）がある。上記係止部材４としては、例えば図３に示すごとく、ループ３１に係止する鉤止部材４１、又はキノコ型小片４２又はこれらに類似する鉤を有する係止具のいずれか１種又はこれらの組合せ係止部材の各種態様に係止部材４がある（図３及び請求項１２参照）。
【００３１】
一方、踏板１１の表面側には、滑り止め材や研磨材微粉を混入した塗料を予め塗布しておくことが好ましい実施の態様（図８及び請求項１６参照）がある。
これにより、保護材５を一時的に養生材として使用する「仮設階段」としての態様において、両面接着テープを剥がし易くして、従来のラワン合や無垢材からなる踏板７の「ささくれ」剥離防止を可能とすることが出来る。
【００３２】
また、必要に応じて、例えば合板、軟質繊維板、硬質繊維板などの板状物、ダンボール、晒クラフト紙、クラフト抄造厚紙などの厚紙板状物の場合においては、上述のごとく、滑り止め材や研磨材微粉を予め混入した塗料を塗布しておく実施の形態であることが好ましい。
これにより、上記板状物や厚紙板状物が雨水などの吹き込みなどにより濡れた場合において、保護材５の破損防止や滑り止め効果を発揮することが出来る。
【００３３】
両面接着テープ２は、踏板１１の少なくとも周縁部及びこの周縁部と中央部、又は中央部と中央部の中間部に貼着する各種の実施の形態がある。これにより、従来の養生材のごとく、「仮設階段」に専ら保護材５を使用する前記第１の態様の場合においては、踏板１１の少なくとも周縁部又は、この周縁部及び中央部に両面接着テープ２を貼着すれば保護材５を踏板１１上で十分に装着することが出来る。
一方、上記第２及び第３の態様の場合のごとく、踏板１１の表面側において半永久的に保護材５を装着しておく場合には、中央部と中央部又はその中間部においても両面接着テープ２を貼着しておくことが好ましい。保護材５を強固に踏板１１の表面側において、装着しておくことが出来るからである。
【００３４】
他方、側板１３の一部（図４参照）においても、両面接着テープ２の貼着を介して保護材５を装着しておく実施の形態であることが好ましい。これにより、「仮設階段」として一時的に保護材５を従来の養生材のごとく、側板の一部において、損傷や破損が発生することを防止することが出来る。
【００３５】
また、踏板１１の中央部及びその周縁部に両面接着テープ２を介在して保護材５を装着しておく実施の態様（図９及び実施例５参照）もある。請求項１記載において、「少なくとも周縁部」には、上記のごとき実施の態様をも包含するものである。
つまり、保護材５の使用目的や使用期間に応じて、踏板１の表面側において、両面接着テープ２を貼着する実施の形態は、それぞれ実施の態様を多用的に異にするものである。
【００３６】
本発明における保護材５は、例えば板状物や厚紙板状物のごとき、従来の養生材としての機能や役割の他に、布状シート状物、合成樹脂シート状物、合成樹脂発泡体シート状物、特にゴムシート状物又はゴム発泡体シート状物のごとく、階段１の昇降時における踏板の表面側の磨耗を防止したり、踏板１１の遮音・吸音効果を向上させたり、装飾効果を向上させて踏板１１ひいては階段１全体の見栄えも良くする機能や役割を発揮するものである。従って、保護材５は板状物、厚紙板状物、布状シート状物、カーペット状シート状物、合成樹脂シート状物、合成樹脂発泡体シート状物、ゴム発泡体シート状物、軟質繊維板、硬質繊維板、セミハードボード、コルク薄板、軽量パーティクルボード、単板積層材板、クラフト抄造厚紙、強化木板、クラフト抄造厚紙、ガラス繊維加工処理布、ガラス繊維加工処理布などの各種態様の材料を採用し得るように実施の形態を多様化させているのである（実施例１〜実施例５参照及び図１、図４〜図８参照）。
しかも、使用目的や使用期間に対応させて、常に踏板１１の表面側において「係合離脱の状態」を保持しつつ、保護材５を脱着自在にしているのである。
【００３７】
本発明において、最も注目すべきことは、特許文献１に記載の「仮設兼用階段」のごとく、「仮設階段」を取り外して「化粧板を有する本階段」に置き換えるものではない。また、特許文献２に記載の「長方形板材の梱包材」の使用態様のごとく、ガムテープ８のみを用いて、踏板７（図１１参照）などの表面側に養生材９を貼着するのとは異なる。このような従来例（図１０参照）においては、ガムテープを剥がす時において、踏板７の一部が「ささくれ」としてガムテープに貼着して剥離する場合がある。
【００３８】
一方、特許文献３に記載の「ドア養生保護材」においては、保護材の態様が少なく、しかも「仮接合」の態様が具体的に明確にされていない。これに対して、本発明においては、踏板１１の表面側において、両面接着テープ２、ループ付きシート状物２、係止部材４を介在して保護材５を「係合離脱の状態」即ち脱着自在に装着している点において異なる。
他方、特許文献４に記載の「安全踏板階段」においては、階段１の昇降時における踏板１１の表面側の摩損や遮音・吸音の向上を主な目的としている。これに対して、本発明において、更に保護材５を養生材としても使用し得るもうにし、更に保護材５を踏板１１の表面側において常に「係合離脱の状態」にしておくことにより、脱着自在にした点において異なっている。
【００３９】
以下、本発明の好ましい実施例について、図面を参照しながら、具体的に説明する。
【００４０】
（実施例１）
本例は、図１〜図４に示すごとく、側桁階段（図２左側（イ））の踏板１１の表面側において、保護材５を装着した階段用保護材１０及びその取付け方法を提供するものである。
上記側桁階段は、図２の（イ）に示すごとく、水平状に配設した踏板１１と、これに垂直上に配設した蹴込み板１１と、これら踏板１１と蹴込み板１２を取付け装着する側板１３とよりなる。
なお、踏板１１と蹴込み板１２は、受け台（図示略）を介在して力桁（図示略）に支承されている。なお、踏板１１、蹴込み板１２、側板１３は、多方向繊維を有する異方向性繊維の集成材を用いた。
【００４１】
保護材５は、図１及び図３に示すごとく、まず踏板１１の表面側において、少なくとも周縁部及び中央部（図示略）に両面接着テープ２を貼着する。そして、両面接着テープ２の表面上には、係止部材４としての鉤止部材４１を有する階段用保護材４０を貼着する。なお、布状シート状物４０は両面接着テープ２を介在して表面側に重ね合わせるようにして係止部材４を貼着する。
次に、図３に示すごとく、カーペット状シート状物３０の裏面において、多数の糸状のループ３１を有する保護材５を両面接着テープ２を介在して装着する。これにより、全体として面ファスナーであり、図４〜図７においては、２〜４をまとめて表示してある。これらが、いわゆるマジックテープ（登録商標）と呼ばれるものである。
【００４２】
これにより、図１及び図４に示すごとく、階段１の踏板１１の表面側において、カーペット状シート状物３０を有する保護材５を係合離脱の状態で脱着自在に装着されることが出来る。そして、このカーペット状シート状物３０を有する保護材５は、階段１の昇降時において足の滑り止め効果や衝撃を緩和するクッション材としての役割を果す。
また、階段１の昇降時において発生し易い「キシミ音」や「床鳴り」などの騒音を遮音し、また吸音する効果もある。
【００４３】
しかも階段１の昇降時において発生する踏板１１の表面側の摩損、特にラッカー塗料や化粧保護塗料などの摩損を防止することが出来る。そのため、階段の踏板１１の装飾的効果を保持して見栄えの良い階段用保護材１０を得ることが出来る。なお、踏板１１、蹴込み板１２、側板１３に前記クラフト抄造厚紙を用いているので、寸法安定性を向上させることが出来る。
従って、本例によれば、遮音性、吸音性、耐久性に優れ、しかも、脱着自在で見栄えの良い階段用保護材１０を得ることが出来る。
【００４４】
（実施例２）
本例は、図２、図３、図５に示すごとく、箱階段の踏板１１に保護材５としてゴム発泡体シート状物５１を用いた階段用保護材１０を提供するものである。
即ち、実施例１におけるカーペット状シート状物３０（図１）に代えて、ゴム発泡体シート状物５１の裏面において、図３に示すごとく、多数のループ３１を有する保護材５を使用するものである。
また、実施例１における鉤止部材４１に代えて、キノコ型小片４２（図３の（ヘ））を使用するものである。
なお、上記ループ３１とキノコ型小片４２とのそれぞれ一対がファスナー２〜４（いわゆるマジックテープ（登録商標））を形成し、常に係合離脱の状態で脱着自在の保護材５が装着されることとなる。
【００４５】
そして、実施例１における踏板１１、蹴込み板１２、側板１３の一部をランバーコア合板及び強化木板により構成した。上記ランバーコア合板は、異方向性繊維の挽材を芯材としているため、前記クラフト抄造厚紙と同様に寸法安定性に優れている。また、強化木板は、フェノール樹脂やレゾルシノール樹脂が注入しているため、強度や硬度に優れている。そのため、側板１３や力桁（図示略）のように特に剛性が要求される構造材に適している。その他の構成は、実施例１と同様とした。
したがって、本例によれば、実施例１の階段用保護材１０と同様に脱着自在で見栄えの良い階段用保護材１０を得ることが出来ると共に、特に保護材５としてゴム発泡体シート状物５１を使用しているため、実施例１の階段用保護材１０よりも更に遮音性及び吸音性に優れた階段用保護材１０を得ることが出来る。なお、ゴム発泡体シート状物５１は、ポリウレタン系プラスチック発泡体のゴムシート状物により構成した。
【００４６】
（実施例３）
本例は、図４、図６に示すごとく、力桁階段の踏板１１の表面側において、保護材５としてのクラフト抄造厚紙５３を使用した階段用保護材１０を提供するものである。上記力桁階段は、図６（ハ）に示すごとく、踏板１１を力桁１４に支承させて構成したものである。
また、実施例１におけるカーペット状シート状物３０に代えて、図６に示すごとく、表面に縦条坡型を有するクラフト抄造厚紙５３を使用する。このクラフト抄造厚紙５３は、晒クラフト紙と「みつまた」又は「こうぞう」との混抄紙である。そして、抄造時において表面に多数の縦条波型を有する「型」を用いて抄造されたものである。晒クラフト紙、「みつまた」、「こうぞう」は、いずれも柔軟性や「腰」が強く、引張り強度に優れている。そのため、耐久性、耐摩耗性に優れたクラフト抄造厚紙５３を形成することが出来る。その他は、実施例１と同様に構成した。
【００４７】
また、クラフト抄造厚紙５２は、表面に多数の縦条波型を有するため、階段１の昇降時において、踏板１１上でスリップを生じて転倒したり、踏板１１を踏み外すことがない。
したがって、本例によれば、安全に階段１を昇降することが出来ると共に、耐久性や耐摩耗性に優れた階段用保護材１０を得ることが出来る。なお、クラフト抄造厚紙５２は主として従来の養生材のごとく「仮設階段」において、使用するものである。
【００４８】
（実施例４）
本例は、図６及び図８に示すごとく、ささら桁階段の踏板１１の表面側において、保護材５として合成樹脂シート状物５３を使用した階段用保護材１０を提供するものである。
上記合成樹脂シート状物５３は、表面に縦条変形波型を多数有する。これにより、階段１の昇降時において、足裏がスリップして転倒することがない。また、合成樹脂シート状物５３は、ポリウレタン系プラスチックの押出成形品により構成する。そのため、耐摩耗性、柔軟性に優れた保護材５を得ることが出来る。その他の構成は、実施例１と同様とした。
したがって、本例によれば、特に耐摩耗性及び柔軟性に優れた見栄えが良く、脱着自在の階段用保護材１０を得ることが出来る。
【００４９】
（実施例５）
本例は、図１、図３、図９に示すごとく、洋風階段１の踏板１１の表面側において、略中央部に保護材５としてのカーペット状シート状物３０を装着した階段用保護材１０を提供するものである。
洋風階段１は、図９に示すごとく、踏板１１と蹴込み板１２と側板１３とよりなる回り階段である。そして、踏板１１の一端部において多数の手すり子１５を有する手摺１６を有する。
また、カーペット状シート状物３０は、図１、図３に示すごとく、実施例１と同様に構成してある。また、その他の構成も実施例１と同様に、遮音性、吸音性に優れ、しかも脱着自在で見栄えの良い階段用保護材１０を得ることが出来る。
【００５０】
【発明の効果】
以上説明したごとく、本発明は、請求項１〜請求項１６に記載の発明により構成されているため、下記に示すような諸々の効果を奏するものである。
【００５１】
まず請求項１に記載の発明によれば、保護材５が常に係合離脱の状態で踏板１１より脱着自在な階段用保護材１０を得ることが出来る。
また、請求項２に記載の発明によれば、各種の保護材５を使用目的やや使用期間に適宜に対応させた各種態様で多面的な階段用保護材１０を得ることが出来る。
そして、請求項３に記載の発明によれば、比較的硬度が大きい階段用保護材１０を得ることが出来る。
【００５２】
請求項４に記載の発明によれば、ダンボールは梱包材の再利用を図ることが出来ると共に、クラフト抄造厚紙及び晒クラフト紙は、いわゆる「腰」が強く、耐久性に優れた階段用保護材１０を得ることが出来る。請求項５に記載の発明によれば、柔軟性がありながら、「腰」があり、耐久性に優れた階段用保護材１０を得ることが出来る。
請求項６に記載の発明によれば、比較的柔軟で、ループ付きシート状物３の表面に強固に係合離脱の状態で脱着自在に優れた階段用保護材１０を得ることが出来る。
【００５３】
請求項７に記載の発明によれば、柔軟性を有しながら、「腰」の強い耐久性に優れた階段用保護材１０を得ることが出来る。
請求項８に記載の発明によれば、比較的軽量で柔軟性、クッション性に優れた階段用保護材１０を得ることが出来る。
請求項９に記載の発明によれば、比較的クッション性及び遮音・吸音性に優れた階段用保護材１０を得ることが出来る。
【００５４】
請求項１０に記載の発明によれば、寸法変化率が少なく、寸法安定性、強度、硬度に優れた階段用保護材１０を得ることが出来る。
請求項１１に記載の発明によれば、比較的「腰」が強く、強度や耐久性に優れた両面接着テープ２を使用した階段用保護材１０を得ることが出来る。
請求項１２に記載の発明によれば、常に係合離脱の状態にあり、脱着自在性に優れた階段用保護材１０を得ることが出来る。
【００５５】
請求項１３に記載の発明によれば、使用目的、使用期間、耐久性に適宜に適合させた階段用保護材１０を得ることが出来る。
請求項１４に記載の発明によれば、両面接着テープ２の表面側に迅速容易に、該両面接着テープ２の接着剤表面側に側桁階段４又はループ付きシート状物３の裏面を重ね合せ、両面接着テープ２を介在して保護材５を貼着することが出来る。
【００５６】
請求項１５に記載の発明によれば、合板、軟質繊維板、単板積層材板、ダンボール、クラフト抄造厚紙、晒クラフト紙等の保護材５は、仮設階段のごとく、２階へ資材を運搬することを主な目的とする建築作業に一時的に使用する養生材としての機能、役割を果すことが出来る。
また、請求項１６に記載の発明によれば、両面接着テープ５の表面側は、階段１の昇降中に足がスリップして転倒したり、踏み外すことを防止することが出来る。
一方、踏板１１の表面側は、両面接着テープ２を剥がす場合において、従来の階段１の踏板７（図１１参照）のごとく、テープ剥離試験において、ラワン材や無垢材の一部が「ささくれ」として、剥離することを防止することが出来る。
以上のごとく、本発明によれば、遮音性、吸音性、耐久性に優れ、使用目的や使用期間に適宜に対応出来る、見栄えが良く、脱着自在性な階段用保護材１０を得ることが出来る。
【図面の簡単な説明】
【図１】実施例１における踏板上に階段用保護材を装着する状態を示す一部斜視図である。
【図２】箱階段及び側桁階段の一部を示す一部斜視図である。
【図３】ループ付きシート状物としての保護材と係止部材との組合せ態様を示す説明図である。
【図４】実施例１における踏板の表面側に保護材を装着した状態を示す一部斜視図である。
【図５】実施例２における踏板の表面側に保護材を装着した状態を示す一部斜視図である。
【図６】実施例３における踏板の表面側に保護材を装着した状態を示す一部斜視図である。
【図７】実施例４における踏板の表面側に保護材を装着した状態を示す一部斜視図である。
【図８】力桁階段及びささら桁階段の一部を示す一部斜視図である。
【図９】実施例５における踏板の表面側に保護材を装着した状態を示す一部斜視図である。
【図１０】従来の階段における踏板及び蹴込み板に養生材を貼着した状態を示す一部斜視図である。
【図１１】踏板に使用される無垢材板の表面側における市販テープによる単板剥離試験の状態を示す一部斜視図である。
【符号の説明】
１      階段
１０      階段用保護材
１１      踏板
１２      蹴込み板
１３      側板
２          両面接着テープ
３          ループ付きシート状物
３０      カーペット状シート状物
４          係止部材
２〜４  面ファスナー（いわゆるマジックテープ（登録商標））
５          保護材
５１      ゴム発泡体シート状物
５２      クラフト抄造厚紙
５３      合成樹脂シート状物
【図１】
2004270306.tif 000003
【図２】
2004270306.tif 000004
【図３】
2004270306.tif 000005
【図４】
2004270306.tif 000006
【図５】
2004270306.tif 000007
【図６】
2004270306.tif 000008
【図７】
2004270306.tif 000009
【図８】
2004270306.tif 000010
【図９】
2004270306.tif 000011
【図１０】
2004270306.tif 000012
【図１１】
2004270306.tif 000013
【手続補正書】
【提出日】平成15年6月13日(2003.6.13)
【手続補正１】
【補正対象書類名】明細書
【補正対象項目名】特許請求の範囲
【補正方法】変更
【補正の内容】
【特許請求の範囲】
【請求項１】
箱階段、側桁階段、力桁階段、ささら桁階段のいずれかの階段であって、
前記階段の踏板において少なくともその周縁部に両面接着テープと、その上にループ付きシート状物又は係止部材と、他方係止部材又はループ付きシート状物を両面接着テープを介在して有する保護材が係合離脱の状態で装着されていることを特徴とする階段用保護材。
【請求項２】
保護材は、板状物、厚紙板状物、布状シート状物、カーペット状シート状物、合成樹脂シート状物、合成樹脂発泡体シート状物、ゴムシート状物、ゴム発泡体シート状物のいずれかであることを特徴とする階段用保護材。
【請求項３】
板状物は、合板、軟質繊維板、硬質繊維板、セミハードボード、コルク薄板、軽量パーティクルボード、単板積層材板、クラフト抄造厚紙、強化木板のいずれか１種又はその組み合せ板であることを特徴とする請求項１又は請求項２に記載の階段用保護材。
【請求項４】
厚紙板状物は、ダンボール、クラフト抄造厚紙、晒クラフト紙のいずれかであることを特徴とする請求項１、請求項２又は請求項３に記載の階段用保護材。
【請求項５】
布状シート状物は、ジュウタン、不織布、ガラス繊維加工処理布のいずれかであることを特徴とする請求項１、請求項２、請求項３又は請求項４に記載の階段用保護材。
【請求項６】
カーペット状シート状物は、軟質カーペット、フェルト、繊維マット、表裏ループ付きカーペットのいずれか１種又はその組み合せ布状物であることを特徴とする請求項１、請求項２、請求項３、請求項４又は請求項５に記載の階段用保護材。
【請求項７】
合成樹脂シート状物は、熱可塑性樹脂シート状物、ガラス繊維充填熱可塑性樹脂シート状物、パルプ充填熱可塑性樹脂シート状物、マイカ粉充填物熱可塑性樹脂シート状物のいずれか１種又はその組み合せシート状物であることを特徴とする請求項１、請求項２、請求項３、請求項４、請求項５又は請求項６に記載の階段用保護材。
【請求項８】
合成樹脂発泡体シート状物は、ポリウレタン系プラスチック発泡体シート状物、ポリ塩化ビニル系プラスチック発泡体シート状物、ジエン系プラスチック発泡体シート状物のいずれか１種又はその組み合せシート状物であることを特徴とする請求項１、請求項２、請求項３、請求項４、請求項５、請求項６又は請求項７に記載の階段用保護材。
【請求項９】
ゴムシート状物は、天然ゴム、ブタジエンゴム、アクリロニトリルゴム、スチレンブタジエンゴム、クロロプレーンゴム、ブチルゴム、ウレタンゴムの各種ゴムシート又はそれらのゴム発泡体シート状物のいずれかであることを特徴とする請求項１、請求項２、請求項３、請求項４、請求項５、請求項６、請求項７又は請求項８に記載の階段用保護材。
【請求項１０】
踏板は、木材繊維方向が多方向に配列された異方向性繊維集成材、ランバーコアー合板、ホルマール化木材板、強化木材板のいずれか１種又はこれらの組み合せ木材板であることを特徴とする請求項１、請求項２、請求項３、請求項４、請求項５、請求項６、請求項７、請求項８又は請求項９に記載の階段用保護材。
【請求項１１】
両面接着テープは、布芯、晒クラフト紙芯、ガラス繊維布芯のいずれか１種又はこれらの組み合せ使用であることを特徴とする請求項１、請求項２、請求項３、請求項４、請求項５、請求項６、請求項７、請求項８、請求項９又は請求項１０に記載の階段用保護材。
【請求項１２】
係止部材は、ループに係止する鉤止部材、キノコ型小片、又はこれらに類似する鉤を有する係止具のいずれか１種又はこれらの組み合せ係止部材であることを特徴とする請求項１、請求項２、請求項３、請求項４、請求項５、請求項６、請求項７、請求項８、請求項９、請求項１０又は請求項１１に記載の階段用保護材。
【請求項１３】
両面接着テープは、踏板の周縁部、中央部、中央部と中央部との中間部、段鼻部、蹴込み板、側板の一部に貼着されていることを特徴とする請求項１、請求項２、請求項３、請求項４、請求項５、請求項６、請求項７、請求項８、請求項９、請求項１０、請求項１１又は請求項１２に記載の階段用保護材。
【請求項１４】
踏板の表面側に両面接着テープを貼着し、該両面接着テープの接着剤表面側に係止部材又はループ付きシート状物の裏面を重ね合せ、両面接着テープを介在して保護材を貼着することを特徴とする階段用保護材の取付け方法。
【請求項１５】
踏板、蹴込み板、中央部、側板の一部の表面側に両面接着テープを貼着し、該両面接着テープの接着剤表面側に係止部材又はループ付きシート状物の裏面を重ね合せて、両面接着テープを介在して保護材を貼着し、その後表面側に貼着した両面接着テープ、係止部材又はループ付きシート状物を有する保護材を剥がし取ることを特徴とする階段用保護材の取付け方法。
【請求項１６】
保護材又は踏板の表面側には、滑り止め材を混入した塗料、研磨材微粉を混入した塗料を予め塗布しておくことを特徴とする請求項１４又は請求項１５に記載の階段用保護材の取付け方法。